(57)【特許請求の範囲】
【請求項１】
車両のインストルメントパネルに配置され、複数のセグメントにより数値を表示する数字表示素子を左右方向に３つ以上並べて構成された上側セグメント表示器と、
前記上側セグメント表示器の下側に配置され、複数のセグメントにより数値を表示する数字表示素子を左右方向に３つ以上並べて構成された下側セグメント表示器と、
前記上側および下側セグメント表示器の数字表示素子を組み合わせて車両の情報を表示する表示制御手段と、
を備え、
前記表示制御手段は、前記上側および下側セグメント表示器における左右中央付近の上下２つの数字表示素子を用いて車体を表示し、前記車体を表示した上下２つの数字表示素子の左右の数字表示素子を用いて車輪間の駆動力配分状態を表示することを特徴とする車両用表示装置。
【請求項２】
請求項１に記載の車両用表示装置において、
前記表示制御手段は、前記車輪間の駆動力配分状態として、主駆動輪と副駆動輪間の駆動力配分状態および左右輪間の駆動力配分状態を表示することを特徴とする車両用表示装置。
【請求項３】
請求項１または請求項２に記載の車両用表示装置において、
前記表示制御手段は、主駆動輪に対する副駆動輪の駆動力配分量と前記左右輪の駆動力配分量差とに応じて、前記車輪間の駆動力配分状態を複数の領域に区分し、各領域で前記車輪間の駆動力配分状態を表示する各数字表示素子のセグメント表示パターンを異ならせることを特徴とする車両用表示装置。
【請求項４】
請求項３に記載の車両用表示装置において、
前記表示制御手段は、車両の総駆動力に応じて前記車輪間の駆動力配分状態を複数の駆動力領域に区分し、各駆動力領域を前記主駆動輪に対する副駆動輪の駆動力配分量と前記左右輪の駆動力配分量差とに応じて複数の領域に区分することを特徴とする車両用表示装置。
【請求項５】
請求項１ないし請求項４のいずれか１項に記載の車両用表示装置において、
前記上側および下側セグメント表示器は、１つまたは複数の車両状態を表示する表示器であり、ドライバが表示切り替えスイッチを操作する毎に前記１つまたは複数の車両状態の表示と前記駆動力配分状態の表示とが順に切り替えられることを特徴とする車両用表示装置。
【請求項６】
請求項５に記載の車両用表示装置において、
前記上側および下側セグメント表示器の一方は所定の車両情報として車両の積算走行距離を表示するオドメータであり、他方は所定の車両情報として区間走行距離を表示するトリップメータであることを特徴とする車両用表示装置。
【請求項７】
請求項１ないし請求項６のいずれか１項に記載の車両用表示装置において、
前記数字表示素子は、7セグメントLEDであり、
前記表示制御手段は、前記左右中央付近の上下２つの7セグメントLEDを共にHの字状に点灯させて車体を表示することを特徴とする車両用表示装置。
【請求項８】
請求項７に記載の車両用表示装置において、
前記表示制御手段は、前記Hの字状に点灯させた上側の7セグメントLEDの左右に隣接する２つの7セグメントLEDの上段縦方向セグメントのうち前記Hの字状に点灯させた7セグメントLEDに近い側の上段縦方向セグメントを点灯させて左右前輪を表示し、前記Hの字状に点灯させた下側の7セグメントLEDの左右に隣接する２つの7セグメントLEDの下段縦方向セグメントのうち前記Hの字状に点灯させた7セグメントLEDに近い側の下段縦方向セグメントを点灯させて左右後輪を表示することを特徴とする車両用表示装置。
【発明の詳細な説明】
【技術分野】
【０００１】
本発明は、車両用表示装置に関する。
【背景技術】
【０００２】
従来、前後輪の駆動力配分と左右輪の駆動力配分とを調整可能な四輪駆動車において、前後輪の駆動力配分状態と左右輪の駆動力配分状態とを液晶画面に表示する車両用配分表示装置が知られている（例えば、非特許文献１参照）。
【先行技術文献】
【非特許文献】
【０００３】
【特許文献１】2007 Acura MDX Owner's Manual, ACURA, 2006/08/07, p.77
【発明の概要】
【発明が解決しようとする課題】
【０００４】
しかしながら、上記従来技術にあっては、高価な液晶画面が必要であるため、コストアップを招くという問題があった。
本発明の目的は、製造コストを抑制できる車両用表示装置を提供することにある。
【課題を解決するための手段】
【０００５】
本発明では、上下に並べた配置した上側および下側セグメント表示器の数字表示素子を組み合わせて車両の情報を表示する。
【発明の効果】
【０００６】
よって、本発明にあっては、液晶画面よりも安価なセグメント表示器を用いて車両の情報を表示するため、製造コストを抑制できる。
【図面の簡単な説明】
【０００７】
【図１】実施例１の四輪駆動車両における車輪駆動系の構成図である。
【図２】実施例１のコンビネーションメータ31の正面図である。
【図３】実施例１のオドメータ37およびトリップメータ38の正面図である。
【図４】7セグメントLED39の正面図である。
【図５】直進走行時における駆動力配分表示部43の表示例である。
【図６】右旋回時における駆動力配分表示部43の表示例である。
【図７】左旋回時であって後輪左右配分量差があるときのセグメント表示パターンの一例である。
【図８】他の実施例の右旋回時における駆動力配分表示部43の表示例である。
【符号の説明】
【０００８】
21  4WDコントローラ
29  メータコントローラ（表示制御手段）
30  表示切り替えスイッチ
31  コンビネーションメータ
37  オドメータ（上側セグメント表示器）
38  トリップメータ（下側セグメント表示器）
39  セグメントLED（数字表示素子）
39a  上段横方向セグメント
39b  中段横方向セグメント
39c  下段横方向セグメント
39d  左上段縦方向セグメント
39e  左下段縦方向セグメント
39f  右上段縦方向セグメント
39g  右下段縦方向セグメント
43  駆動力配分表示部
【発明を実施するための形態】
【０００９】
以下、本発明の車両用表示装置を実施するための形態を、図面に示す実施例に基づいて説明する。
〔実施例１〕
［車輪駆動系の構成］
図１は、実施例１の四輪駆動車両における車輪駆動系の構成図である。
実施例１の四輪駆動車は、エンジン3からの回転動力を変速機（ディファレンシャルギヤ装置4aを含むトランスアクスル）4により変速し、左右アクスルシャフト5L,5Rを介し主駆動輪である左右前輪1L,1Rに向かわせ、これら左右前輪1L,1Rの駆動に供する。
また、変速機4により変速された後に左右前輪1L,1Rへ向かう駆動力（トルク）の一部を、トランスファー6により方向変換して副駆動輪である左右後輪2L,2Rに向かわせ、これら左右後輪2L,2Rの駆動に供する。この伝達系の構成を説明する。
【００１０】
トランスファー6は、入力側ハイポイドギヤ6aおよび出力側ハイポイドギヤ6bから構成される傘歯車組みを有する。入力側ハイポイドギヤ6aは、ディファレンシャルギヤ装置4aの入力回転メンバであるディファレンシャルギヤケースと共に回転するように構成される。出力側ハイポイドギヤ6bにはプロペラシャフト7の前端を結合し、このプロペラシャフト7を左右後輪駆動力配分ユニット8に向け後方へ延在させる。なお、トランスファー6は、左右前輪1L,1Rに向かう駆動力の一部を増速してプロペラシャフト7へ出力するよう、ハイポイドギヤ6aおよび出力側ハイポイドギヤ6bより成る傘歯車組のギヤ比を決定する。
【００１１】
プロペラシャフト7への増速回転動力は、左右後輪駆動力配分ユニット8で決定された目標値に基づいて左右後輪2L,2Rへ分配出力する。このため、左右後輪駆動力配分ユニット8は、左右後輪2L,2Rのアクスルシャフト9L,9R間において、これらシャフト9L,9Rの軸線方向に延在するセンターシャフト10を有する。
左右後輪駆動力配分ユニット8はさらに、センターシャフト10および左後輪アクスルシャフト9L間にあって、これらシャフト10,9L間を結合制御するための左後輪側クラッチ11Lと、センターシャフト10および右後輪アクスルシャフト9R間にあって、これらシャフト10,9R間を結合制御するための右後輪側クラッチ11Rとを有する。
【００１２】
トランスファー6から車両後方へ延在するプロペラシャフト7の後端と、センターシャフト10との間は、入力側ハイポイドギヤ12aおよび出力側ハイポイドギヤ12bから構成される傘歯車式終減速機12を介して駆動結合する。なお、終減速機12の減速比は、トランスファー6の前記した増速ギヤ比（ハイポイドギヤ6aおよび出力側ハイポイドギヤ6bより成る傘歯車組の増速ギヤ比）との関連において、左右前輪1L,1Rに向かう駆動力の一部をセンターシャフト10へ増速下に向かわせるようなギヤ比とし、実施例１においては、左右前輪1L,1Rに対してセンターシャフト10が増速回転されるように、トランスファー6および終減速機12のトータルギヤ比を設定する。
【００１３】
実施例１の四輪駆動車両の車輪駆動系にあっては、エンジン3からの回転動力が変速機（トランスアクスル）4による変速下で左右前輪1L,1Rに達し、これら左右前輪1L,1Rを駆動する。この間、左右前輪1L,1Rに向かう駆動力の一部がトランスファー6から順次、プロペラシャフト7、および終減速機12を経てセンターシャフト10へ増速下に達し、この増速分だけクラッチ11L,11Rがスリップするようこれらクラッチ11L,11Rを締結力制御しつつ、左右後輪2L,2Rを駆動する。これにより、車両は、左右前輪1L,1Rの駆動、左右後輪2L,2Rの駆動により、四輪駆動走行が可能である。
【００１４】
また、実施例１の四輪駆動車両では、車両の発進性能や加速性能の向上を目的とし、左後輪側クラッチ11Lおよび右後輪側クラッチ11Rの合計締結力制御を介して前後輪駆動力配分制御を行う。さらに、車両の旋回性能向上や旋回挙動の安定化を目的とし、左後輪側クラッチ11Lおよび右後輪側クラッチ11Rの締結力制御を介して左右輪駆動力配分制御を行う。このため、左後輪側クラッチ11Lおよび右後輪側クラッチ11Rの締結力制御システムを以下のようなものとする。
左後輪側クラッチ11Lおよび右後輪側クラッチ11Rはそれぞれ、供給電流に応じて締結力を決定される電磁式とし、これらクラッチ11L,11Rの締結力がそれぞれ、四輪駆動（4WD）コントローラ21で求めた左右後輪2L,2Rの目標駆動力TcL,TcRに対応した締結力となるよう当該クラッチ11L,11Rへの供給電流を電子制御することで、上記の前後輪駆動力配分制御および左右輪駆動力配分制御を行うものとする。
【００１５】
4WDコントローラ21には、上記した左後輪2Lの目標駆動力TcLおよび右後輪2Rの目標駆動力TcRを演算するために、車速VSPを検出する車速センサ22からの信号と、車両の重心を通る鉛直軸線周りにおけるヨーレートφを検出するヨーレートセンサ23からの信号と、ステアリングホイール操舵角θを検出する操舵角センサ24からの信号と、エンジン3の出力トルクTeを演算するエンジントルク演算部25からの信号と、エンジン回転数Neを検出するエンジン回転センサ26からの信号と、アクセルペダル踏み込み量であるアクセル開度APOを検出するアクセル開度センサ27からの信号と、変速機4が選択中のギヤ比γを検出する変速機ギヤ比センサ28からの信号とをそれぞれ入力する。
4WDコントローラ21は、これら入力情報を元に車両の総駆動力を算出すると共に入力情報と総駆動力とから後輪配分量（左右後輪2L,2Rの駆動力配分量）および後輪左右配分量差を算出する。そして、後輪配分量と後輪左右配分量差を実現する左後輪目標駆動力TcLおよび右後輪目標駆動力TcRを演算し、左右後輪2L,2Rの駆動力がこれら目標駆動力TcL,TcRに一致するよう、左後輪側クラッチ11Lおよび右後輪側クラッチ11Rの締結力（電流）を電子制御する。
【００１６】
［駆動力配分表示装置の構成］
4WDコントローラ21は、算出した車両の総駆動力、後輪配分量および後輪左右配分量差に基づいて、コンビネーションメータ31に配置した後述するオドメータ（上側セグメント表示器）37およびトリップメータ（下側セグメント表示器）38に前後輪間および左右後輪間の駆動力配分状態を表示するためのセグメント点灯パターンを演算し、演算結果を図外のCAN通信線を用いてメータコントローラ（表示制御手段）29へ送る。メータコントローラ29は、ドライバにより操作される表示切り替えスイッチ30が操作される毎に、オドメータ37およびトリップメータ38の表示内容を、距離（積算走行距離、区間走行距離）表示、駆動力配分状態表示、燃費表示の順に切り替える。ここで、燃費に加え、他の１つまたは複数の車両情報の表示に切り替える構成としてもよい。以下、その構成について説明する。なお、切り替えスイッチ30は、例えば、図外のステアリングホイールやインストルメントパネル等、車両の走行中にドライバが操作可能な位置に配置する。
【００１７】
図２は、実施例１のコンビネーションメータ31の正面図であり、コンビネーションメータ31は、図外のインストルメントパネルに設置し、エンジン3の回転数を表示するタコメータ32と、車両の走行速度を表示するスピードメータ33とを左右に配置する。両メータ32,33の間の位置には、エンジン冷却水の温度を表示するテンプゲージ34、燃料の残量を表示するフューエルゲージ35、および他の警告・表示灯を表示する表示エリア36を設定する。なお、インストルメントパネルには、ターンシグナルインジケータランプ、ハイビームインジケータランプ、シフトパターンインジケータランプを設けているが、図示は省略する。
【００１８】
表示エリア36の左右中央上部には、車両の積算走行距離を表示するオドメータ37と区間走行距離を表示するトリップメータ38とを上下に並べて配置する。オドメータ37およびトリップメータ38は、例えば、車軸回転数信号にタイヤの周長を掛け合わせて車両の走行距離を算出し、表示する。
図３は実施例１のオドメータ37およびトリップメータ38の正面図であり、オドメータ37は、図４に示すような７つのセグメントにより数値を表示する7セグメントLED（数字表示素子）39を左右方向に６つ並べて構成する。よって、オドメータ37は、6桁の数値を表示可能である。また、トリップメータ38は、オドメータ37と同様、7セグメントLED（数字表示素子）39を左右方向に５つ並べて構成する。よって、トリップメータ38は、5桁の数値を表示可能である。オドメータ37とトリップメータ38は、1の位側から各7セグメントLED39の左右方向位置を揃えて配置している。
オドメータ37は、ドライバがリセットボタン40を押すことにより表示をゼロに戻すことができる。また、トリップメータ38は、ドライバが切り替えスイッチ41を押す毎に、トリップメータAとBとが交互に切り替わり、２種類の区間走行距離を表示できる。トリップメータ38の左端には、文字A,Bの一方を点灯させる文字表示部42を配置している。メータコントローラ29は、トリップメータAの表示中は文字Aを点灯させ、トリップメータBの表示中は文字Bを点灯させる。トリップメータ38は、ドライバが切り替えスイッチ41を所定時間以上長押しすることにより表示をゼロに戻すことができる。
【００１９】
図４は、オドメータ37およびトリップメータ38に用いる7セグメントLED39の正面図であり、7セグメントLED39は、横方向に延びる３つの横方向セグメント39a,39b,39cと縦方向に延びる４つの縦方向セグメント39d,39e,39f,39gとを有する。上段横方向セグメント39aは上段、中段横方向セグメント39bは中段、下段横方向セグメント39cは下段に位置する。左上段縦方向セグメント39dは左上段、左下段縦方向セグメント39eは左下段、右上段縦方向セグメント39fは右上段、右下段縦方向セグメント39gは右下段に位置する。
上述したように、オドメータ37およびトリップメータ38は、表示切り替えスイッチ30が操作される度に積算走行距離および区間走行距離の表示、各輪への駆動力配分状態の表示、燃費表示の順に切り替わる。駆動力配分状態の表示には、トリップメータ38を構成する５つの7セグメントLED39とオドメータ37を構成する６つの7セグメントLED39のうち右から５つの7セグメントLED39の計10個の7セグメントLED39を用いる。以下、オドメータ37とトリップメータ38とを併せて駆動力配分表示部43という。
【００２０】
図５は直進走行時の駆動力配分表示部43の表示例、図６は右旋回時の駆動力配分表示部の表示例である。図５，６に示すように、駆動力配分表示部43には、左右中央の上下２つの7セグメントLED39を共にHの字状に点灯させる、つまり、上段横方向セグメント39aと下段横方向セグメント39cを除く5つのセグメントを点灯させることで車体を模した記号を表示する。また、車体を表示した上側の7セグメントLED39の左に隣接する7セグメントLED39の右上段縦方向セグメント39f、および車体を表示した上側の7セグメントLED39の右に隣接する7セグメントLED39の左上段縦方向セグメント39dを点灯させることで左右前輪1L,1Rを模した記号を表示する。また、車体を表示した下側の7セグメントLED39の左に隣接する7セグメントLED39の右下段縦方向セグメント39g、および車体を表示した下側の7セグメントLED39の右に隣接する7セグメントLED39の左下段縦方向セグメント39eを点灯させることで左右後輪2L,2Rを模した記号を表示する。
【００２１】
左前輪1Lの駆動力配分状態は、左前輪1Lを表示した右上段縦方向セグメント39fの左側に位置する３つの上段縦方向セグメントを用い、点灯させるセグメントの数である表示セグメント数（0〜3）で表現する。右前輪1Rの駆動力配分状態は、右前輪1Rを表示した左上段縦方向セグメント39dの右側に位置する３つの上段縦方向セグメントを用い、表示（点灯）セグメント数（0〜3）で表現する。左後輪2Lの駆動力配分状態は、左後輪2Lを表示した右下段縦方向セグメント39gの左側に位置する３つの下段縦方向セグメントを用い、表示（点灯）セグメント数（0〜3）で表現する。右後輪2Rの駆動力配分状態は、右後輪2Rを表示した左下段縦方向セグメント39eの右側に位置する３つの下段縦方向セグメントを用い、表示（点灯）セグメント数（0〜3）で表現する。
【００２２】
例えば、直進走行時には、左右後輪2L,2Rの駆動力は同一であるため、図５のように左右後輪2L,2Rに対応する表示セグメント数をそれぞれ同じとする。このとき、後輪配分量が大きいほど、総表示セグメント数に対して左右後輪2L,2Rに対応する表示セグメント数を増加させる。また、車両の総駆動力が大きいほど、総表示セグメント数を増加させる。なお、停車時には、各輪に対応する表示セグメント数をゼロとする。
一方、旋回時には、左右後輪2L,2Rのうち、旋回外輪の駆動力が旋回内輪の駆動力よりも大きくなるため、図６に示すように右旋回時の場合は旋回外輪である左後輪2Lに対応する表示セグメント数を、旋回内輪である右後輪2Rに対応する表示セグメント数よりも多くする。このとき、後輪左右配分量差が大きいほど、左右後輪2L,2Rに対応する表示セグメント数に差を付ける。また、後輪配分量と車両の総駆動力とに応じて各表示セグメント数を変更する。
【００２３】
図７は、左旋回時であって後輪左右配分量差があるときのセグメント表示パターンの一例であり、4WDコントローラ21は、車両の総駆動力を「大」、「中」、「小」の３つの駆動力領域に区分すると共に、各駆動力領域で後輪配分量および後輪左右配分量差をそれぞれ「大」、「小」の２つの領域に区分し、各領域でセグメント表示パターンを異ならせる。ここで、車両の動駆動力が「小」である場合に限り、後輪配分量の区分は行っていない。理由は、車両の総駆動力が小さい場合、後輪配分量は僅かであり、大小で区分しても表示セグメント数に差が出せないからである。
よって、例えば、図６の表示例は、図７において総駆動力が「中」、後輪配分量が「大」、後輪左右配分量差が「小」の区分のときのセグメント表示パターンであることがわかる。
右旋回時の場合は、図７の2Rと2Lの数値を入れ替えた値となるため、説明を省略する。
【００２４】
ここで、図７に示した表示パターンでは、車両の総駆動力が「大」、後輪配分量が「大」、後輪左右配分量差が「小」の場合を除き、右後輪2Rに対応する表示セグメント数はいずれもゼロであるが、これは必ずしも右後輪2Rの駆動力がゼロであることを示すものではない。実施例１では、後輪左右配分量差に応じて表示セグメント数を決めており、各輪に対応する表示セグメント数が最大３つであるため、少ない表示セグメント数で車両の総駆動力、後輪配分量および後輪左右配分量差の３つを表現する場合、左右後輪2L,2Rのうち駆動力配分量が小さい車輪の表示セグメント数はゼロとなる。言い換えると、左右後輪2L,2Rのうち駆動力配分量が小さい車輪の表示セグメント数をゼロとすることで、車両の総駆動力、後輪配分量および後輪左右配分量差の３つをより多くのパターンで表現できる。
【００２５】
次に、実施例１の効果を説明する。
上述した実施例１の駆動力配分表示装置によれば、以下のような効果が得られる。
(1) 上下に並べて配置したオドメータ37およびトリップメータ38と、オドメータ37およびトリップメータ38における左右中央付近の上下２つの7セグメントLED39を用いて車体を表示し、車体を表示した上下２つの7セグメントLED39の左右の7セグメントLED39を用いて車輪間の駆動力配分状態（前後輪間の駆動力配分状態、左右輪間の駆動力配分状態）を表示するメータコントローラ29と、を備える。
オドメータ37およびトリップメータ38は、安価な7セグメントLED39を複数桁並べて構成したものであり、従来の液晶画面を用いて車輪間の駆動力配分状態を表示するものに対し、製造コストを抑制できる。
【００２６】
(2) メータコントローラ29は、車輪間の駆動力配分状態として、左右前輪1L,1Rと左右後輪2L,2R間の駆動力配分状態および左右後輪2L,2R間の駆動力配分状態を表示する。このため、実施例１のように前後輪の駆動力配分と左右後輪2L,2Rの駆動力配分とを調整可能な四輪駆動車の旋回時において、ドライバに対し左右前輪1L,1Rと左右後輪2L,2R間の駆動力配分状態および左右後輪2L,2R間の駆動力配分状態を同時に知らせることができる。
【００２７】
(3) メータコントローラ29は、左右前輪1L,1Rに対する後輪2L,2Rの駆動力配分量に応じて「大」、「小」の２つの領域に区分し、さらに当該２つの領域を左右後輪2L,2Rの左右配分量差に応じて「大」、「小」の２つの領域に区分し、各領域でセグメント表示パターンを異ならせている。これにより、ドライバに対し、最低限必要な情報である後輪駆動力配分量が大きいか否か、および後輪左右配分量差が大きいか否かを、４つのセグメント表示パターンを用いて知らせることができる。
【００２８】
(4) メータコントローラ29は、車両の総駆動力の大きさを「大」、「中」、「小」の３つの駆動力領域に区分し、「大」と「中」の駆動力領域を上記のように後輪駆動力配分量および後輪左右配分量差に応じて４つの領域に区分し、「小」の駆動力領域を後輪左右配分両差に応じて２つの領域に区分している。これにより、後輪駆動力配分量の大小、後輪左右配分量差の大小に加え、車両の駆動力の大きさをドライバに知らせることができる。また、各輪に対応する表示セグメント数が最大3つという制約の中で、10種類の状態を表現できる。
【００２９】
(5) 乗用車のコンビネーションメータには必ず設けられているオドメータ37およびトリップメータ38を駆動力配分表示部43として利用しているため、駆動力配分状態を表示する専用の表示装置が不要となり、専用の表示装置を別途設けた場合と比較して、製造コストを抑制できる。
(6) オドメータ37およびトリップメータ38は、表示切り替えスイッチ30が操作される毎に距離表示、駆動力配分状態表示および燃費表示が順に切り替えられるため、ドライバは必要なときのみ駆動力配分状態表示に切り替えることができ、不要な場合は非表示とすることができる。
【００３０】
(7) メータコントローラ29は、左右中央の上下２つの7セグメントLED39を共にHの字状に点灯させて車体を表示するため、２つの7セグメントLED39を用いて車体の平面形状に近似した記号を中央に表示できる。よって、ドライバは瞬時に各輪の駆動力配分状態を認識でき、視認性の向上を図ることができる。
(8) メータコントローラ29は、上記Hの字状に点灯させた7セグメントLED39のうち上側の7セグメントLED39の左右に隣接する２つの7セグメントLED39,39の上段縦方向セグメントのうちHの字状に点灯させた7セグメントLED39に近い側の上段縦方向セグメントを点灯させて左右前輪を表示すると共に、上記Hの字状に点灯させた7セグメントLED39のうち下側の7セグメントLED39の左右に隣接する２つの7セグメントLED39,39の下段縦方向セグメントのうちHの字状に点灯させた7セグメントLED39に近い側の下段縦方向セグメントを点灯させて左右後輪を表示する。これにより、２つの7セグメントLED39を用いて車両の平面形状に近似した記号を中央に表示できる。よって、視認性の向上および意匠性向上を図ることができる。
【００３１】
（他の実施例）
以上、本発明を実施するための形態を、実施例に基づいて説明したが、本発明の具体的な構成は、実施例に限定されるものではなく、発明の要旨を逸脱しない範囲の設計変更等があっても本発明に含まれる。
例えば、図８に示すように、駆動力配分表示部43の中央に車体のみを表示し、車輪の表示は省略してもよい。また、表示するセグメントは縦方向セグメントに限らず、図８のような矩形を１つの記号として表示してもよい。図８は、図６に示した状況と同じ右旋回時における別の表示例である。つまり、図７において総駆動力が「中」、後輪配分量が「大」、後輪左右配分量差が「小」の区分のときのセグメント表示パターンである。
実施例１では、ドライバのスイッチ操作をトリガとしてオドメータおよびトリップメータの表示を距離表示から駆動力配分状態表示へと切り替える例を示したが、前後輪の駆動力配分状態と左右輪の駆動力配分状態の少なくとも一方が変化したことをトリガとし、距離表示から駆動力配分状態表示へと自動的に切り替える構成としてもよい。
【図１】
0005440703.tif 000002
【図２】
0005440703.tif 000003
【図３】
0005440703.tif 000004
【図４】
0005440703.tif 000005
【図５】
0005440703.tif 000006
【図６】
0005440703.tif 000007
【図７】
0005440703.tif 000008
【図８】
0005440703.tif 000009